(57)【特許請求の範囲】
【請求項１】
前端部に相手側端子との接触部が形成された端子金具と、
後方から前記端子金具を挿入させるためのキャビティが形成されたハウジングと、
前記キャビティの内壁に沿って前方へ片持ち状に延出するように形成され、常には前記端子金具に対して抜止め状態に係止可能な係止位置にあり、前記端子金具から解離する解離位置への弾性撓みを可能とされたランスと、
前記ハウジング内に形成され、前記ランスの前記解離位置への弾性撓みを許容するための撓み空間と、
後方へ突出した形態の撓み規制部を有し、前記ハウジングに対し前方から組み付けられた状態で規制位置と退避位置との間での移動を可能とされたフロントリテーナとを備え、
前記フロントリテーナが規制位置にある状態では、前記撓み規制部が前記撓み空間内に進入することで前記ランスの弾性撓みが規制され、前記フロントリテーナが退避位置にある状態では、前記撓み規制部が前記撓み空間の前方へ退避して前記ランスの弾性撓みを許容するようになっており、
前記フロントリテーナが退避位置にある状態では、前記ランスが、前記ハウジングの外部から差し込んだ解除治具の解除操作によって係止位置から解離位置へ弾性撓みさせられるようになっており、
前記ハウジングには、前記撓み空間を挟んで前記ランスとは反対側に位置する外壁部を貫通した形態の治具差込み孔が形成され、
前記撓み規制部には、前記フロントリテーナが退避位置にある状態で前記治具差込み孔から差し込まれた解除治具を前記ランスまで到達させるように切欠した形態であって、前記ランスの弾性撓み方向及び前記キャビティに対する前記端子金具の挿入方向の両方向と交差する幅方向において前記解除治具を位置決めするガイド部が形成されているコネクタであって、
前記撓み規制部は、板状部と、前記板状部から前後方向に細長いリブ状に突出する補強部とを一体に形成して構成され、
前記板状部に前記ガイド部が形成されていることを特徴とするコネクタ。
【請求項２】
前記ガイド部は、前記撓み規制部の後端縁において開放された形態であることを特徴とする請求項１記載のコネクタ。
【請求項３】
前記ガイド部の幅方向における開口領域は、前記ランスの全幅の範囲内とされていることを特徴とする請求項１又は請求項２記載のコネクタ。
【請求項４】
前記撓み規制部には、前記フロントリテーナが規制位置にある状態で前記治具差込み孔を閉塞する閉塞部が形成されていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、ハウジング内に端子金具を挿入し、ハウジングに組み付けたフロントリテーナによって挿入済みの端子金具を抜止めするようにしたコネクタが開示されている。ハウジング内には、後方から端子金具を挿入させるためのキャビティと、キャビティの内壁に沿って前方へ片持ち状に延出した形態であって挿入済みの端子金具に対して抜止め可能に係止されるランスと、ランスが端子金具から解離する方向へ弾性撓みするのを許容するための撓み空間とが形成されている。端子金具をハウジングに挿入した後、ハウジングにフロントリテーナを組み付けると、フロントリテーナの撓み規制部が撓み空間内に進入してランスの弾性撓みを阻止し、端子金具が確実に抜止めされるようになっている。
【先行技術文献】
【特許文献】
【０００３】
【特許文献１】特開２００５−１６６６０８号公報
【発明の概要】
【発明が解決しようとする課題】
【０００４】
上記のコネクタにおいて、端子金具をハウジング外へ離脱させる際には、撓み規制部を撓み空間外へ退避させ、前方からハウジング内に差し込んだ解除治具によってランスを弾性撓みさせて端子金具への係止を解除し、その状態で端子金具を後方へ引き抜くようにする。
【０００５】
このように、ランスを弾性撓みさせる際には、解除治具を、前方からハウジング内のランスに向けて差し込むのであるが、ランスの近傍には端子金具が存在し、端子金具の前端部には、相手側端子との接触部が形成されているので、この接触部が解除治具によって傷付けられることが懸念される。
【０００６】
本発明は上記のような事情に基づいて完成されたものであって、解除治具による端子金具の傷付きを防止することを目的とする。
【課題を解決するための手段】
【０００７】
上記の目的を達成するための手段として、請求項１の発明は、前端部に相手側端子との接触部が形成された端子金具と、後方から前記端子金具を挿入させるためのキャビティが形成されたハウジングと、前記キャビティの内壁に沿って前方へ片持ち状に延出するように形成され、常には前記端子金具に対して抜止め状態に係止可能な係止位置にあり、前記端子金具から解離する解離位置への弾性撓みを可能とされたランスと、前記ハウジング内に形成され、前記ランスの前記解離位置への弾性撓みを許容するための撓み空間と、後方へ突出した形態の撓み規制部を有し、前記ハウジングに対し前方から組み付けられた状態で規制位置と退避位置との間での移動を可能とされたフロントリテーナとを備え、前記フロントリテーナが規制位置にある状態では、前記撓み規制部が前記撓み空間内に進入することで前記ランスの弾性撓みが規制され、前記フロントリテーナが退避位置にある状態では、前記撓み規制部が前記撓み空間の前方へ退避して前記ランスの弾性撓みを許容するようになっており、前記フロントリテーナが退避位置にある状態では、前記ランスが、前記ハウジングの外部から差し込んだ解除治具の解除操作によって係止位置から解離位置へ弾性撓みさせられるようになっており、前記ハウジングには、前記撓み空間を挟んで前記ランスとは反対側に位置する外壁部を貫通した形態の治具差込み孔が形成され、前記撓み規制部には、前記フロントリテーナが退避位置にある状態で前記治具差込み孔から差し込まれた解除治具を前記ランスまで到達させるように切欠した形態であって、前記ランスの弾性撓み方向及び前記キャビティに対する前記端子金具の挿入方向の両方向と交差する幅方向において前記解除治具を位置決めするガイド部が形成されているコネクタであって、前記撓み規制部は、板状部と、前記板状部から前後方向に細長いリブ状に突出する補強部とを一体に形成して構成され、前記板状部に前記ガイド部が形成されているところに特徴を有する。
【０００８】
請求項２の発明は、請求項１に記載のものにおいて、前記ガイド部は、前記撓み規制部の後端縁において開放された形態であるところに特徴を有する。
【０００９】
請求項３の発明は、請求項１または請求項２に記載のものにおいて、前記ガイド部の幅方向における開口領域は、前記ランスの全幅の範囲内とされているところに特徴を有する。
【００１０】
請求項４の発明は、請求項１ないし請求項３のいずれかに記載のものにおいて、前記撓み規制部には、前記フロントリテーナが規制位置にある状態で前記治具差込み孔を閉塞する閉塞部が形成されているところに特徴を有する。
【発明の効果】
【００１１】
＜請求項１の発明＞
解除治具の差込み方向は、ハウジングの前方からではなく、端子金具の挿入方向と交差する方向なので、端子金具の接触部が解除治具によって傷付けられることはない。また、解除治具は、ガイド部によって幅方向にガイドされて確実にランスに到達するので、作業性が良い。
【００１２】
＜請求項２の発明＞
ガイド部は、撓み規制部の後端縁において開放された形態なので、撓み規制部の後端縁において閉じた形態のガイド部に比べると、解除治具の前後方向における可動範囲が広く、作業性が良い。
【００１３】
＜請求項３の発明＞
幅方向におけるガイド部の開口領域を、ランスの全幅の範囲内としたので、解除治具がランスに対して幅方向に外れる虞がなく、ランスを確実に弾性撓みさせることができる。
【００１４】
＜請求項４の発明＞
フロントリテーナを規制位置に移動させて端子金具を抜止め状態に保持している状態では、治具差込み孔が、撓み規制部の閉塞部によって閉塞されるので、治具差込み孔からハウジングの内部に異物が侵入する虞はない。
【図面の簡単な説明】
【００１５】
【図１】実施形態１において、解除治具によってランスを弾性撓みさせた状態をあらわす断面図
【図２】解除治具をハウジング内に差し込んだ状態をあらわす断面図
【図３】フロントリテーナが規制位置にある状態をあらわす断面図
【図４】図３のＸ−Ｘ線断面図
【図５】フロントリテーナが退避位置にある状態をあらわす断面図
【図６】図５のＹ−Ｙ線断面図
【図７】ハウジングの底面図
【図８】フロントリテーナの側面図
【図９】フロントリテーナの底面図
【発明を実施するための形態】
【００１６】
＜実施形態１＞
以下、本発明を具体化した実施形態１を図１乃至図９を参照して説明する。本実施形態のコネクタは、合成樹脂製のハウジング１０内に後方（図１〜６における左方）から複数の端子金具３０を挿入し、ハウジング１０に対して前方から合成樹脂製のフロントリテーナ４０を組み付けて構成されている。
【００１７】
図１〜６に示すように、ハウジング１０は、ブロック状をなす端子保持部１１と、端子保持部１１の前端外周から前方へ角筒状に延出したフード部１２とを一体に形成したものである。端子保持部１１内には、前後方向に貫通する複数のキャビティ１３が上下２段に分かれて整列して形成されている。キャビティ１３の後端の開口は、端子金具３０を挿入するための挿入口となっている。下段側のキャビティ１３には、その下面壁（内壁）に沿って前方へ片持ち状に延出した形態のランス１４が形成されている。前後方向において、ランス１４の前端縁は、端子保持部１１の前端面（即ち、フード部１２の奥端面）よりも後方に位置しており、キャビティ１３の前端よりも後方に位置している。
【００１８】
ランス１４の上面（キャビティ１３に臨む面）には、上方（キャビティ１３側）へ突出した形態の係止突起１５が形成されている。係止突起１５の前面は、キャビティ１３に対する端子金具３０の挿入方向と略直角な係止面１５Ｆとなっており、この係止面１５Ｆはランス１４の前端よりも後方に位置している。ランス１４の前端部、即ちランス１４における係止突起１５よりも前方の部分は、解除治具Ｊを係止させるための治具受け部１６となっている。
【００１９】
ランス１４は、常には、ランス１４自体の剛性により図２，３，５に示す係止位置に保たれているが、ランス１４の後端を支点として姿勢を傾けながら係止位置よりも下方の解除位置（図１を参照）へ弾性撓みし得るようになっている。係止位置から解除位置へ弾性撓みする際の係止突起１５の変位方向は、キャビティ１３に対する端子金具３０の挿入方向と略直角な方向である。また、ランス１４が係止位置にある状態では、係止突起１５はキャビティ１３の内部（即ち、端子金具３０の挿入経路であり、端子金具３０の収容空間）内に進出している。また、ランス１４が解除位置へ移動した状態では、係止突起１５はキャビティ１３よりも下方（端子金具３０の挿入経路外）へ退避する。
【００２０】
図１〜３に示すように、ハウジング１０の内部には、ランス１４の解除位置への弾性撓みを許容するための複数の撓み空間１７が、各ランス１４と個別に対応するように形成されている。図４，６に示すように、キャビティ１３に対する端子金具３０の挿入方向及びランス１４の弾性撓み方向の両方向と交差する幅方向において、撓み空間１７の中心はランス１４の中心と一致している。また、幅方向における撓み空間１７の形成領域（幅寸法）は、ランス１４の形成領域（幅寸法）よりも広くなっている。ハウジング１０内のうち撓み空間１７よりも前方の空間及びランス１４よりも前方の空間は、端子保持部１１の前端面に開放された型抜き空間１８となっている。この型抜き空間１８は、撓み空間１７とランス１４を金型成形するのに伴って形成された空間であり、フロントリテーナ４０を収容するための空間としても機能する。また、型抜き空間１８は、下段の全てのランス１４及び撓み空間１７と対応するように横長の空間となっている。
【００２１】
ハウジング１０のうち、ランス１４の弾性撓み方向（上下方向）において撓み空間１７を挟んでランス１４と反対側に位置する外壁部１９（即ち、ハウジング１０の外面と撓み空間１７及び型抜き空間１８とを仕切る壁部）には、前後方向に細長い方形状に開口する複数の治具差込み孔２０が貫通して形成されている。図４，６に示すように、幅方向において、治具差込み孔２０の中心はランス１４及び撓み空間１７の中心と一致している。幅方向における治具差込み孔２０の形成領域（開口幅）は、ランス１４の形成領域（幅寸法）よりも小さい。また、前後方向における治具差込み孔２０の形成領域（開口領域）は、端子保持部１１（型抜き空間１８）の前端近くの位置（フード部１２の後端）から、ランス１４の前端よりも少し後方の位置（係止突起１５の前端の係止面１５Ｆよりも少し前方の位置）に亘っている。つまり、前後方向において、治具差込み孔２０の後端縁は、治具受け部１６の形成領域の範囲内に位置している。
【００２２】
また、ハウジング１０には、上段側のキャビティ１３と対応するようにランス１４と撓み空間１７と型抜き空間１８と治具差込み孔２０が形成されている。この上段側のランス１４、撓み空間１７、型抜き空間１８及び治具差込み孔２０は、いずれも下段側のランス１４、撓み空間１７、型抜き空間１８及び治具差込み孔２０と上下対称な形態となっているので、図示と説明は省略する。
【００２３】
端子金具３０は、所定形状に打ち抜いた金属板材に曲げ加工等を施して成形したものであり、図１〜３に示すように、全体として前後方向に細長い形状となっている。端子金具３０は、前端部に細長いタブ３１（本発明の構成要件である相手側端子Ｆとの接触部）を有する雄形の端子である。端子金具３０は、タブ３１の後端に連なる概ね角筒状の本体部３２と、本体部３２の後端に連なるオープンバレル状の圧着部３３とを有しており、圧着部３３には電線３５の前端部が導通可能に固着されている。本体部３２の後端縁は、後方からランス１４の係止突起１５を係止させるための係止部３４となっている。
【００２４】
図８，９に示すように、フロントリテーナ４０は、支持壁部４１と、支持壁部４１から後方へ片持ち状に延出する複数の撓み規制部４２と、支持壁部４１から後方へ片持ち状に延出する複数の案内部４３と、支持壁部４１から後方へ片持ち状に延出する左右一対の撓み係止片４４とを一体に形成して構成されている。フロントリテーナ４０は、ハウジング１０の端子保持部１１に対しその前方から組み付けられる。組付けに際しては、案内部４３を端子保持部１１の案内孔２１内に嵌入させることにより、フロントリテーナ４０が、ハウジング１０に対して上下方向及び左右方向（幅方向）において位置決めされた状態で所定の組付け経路に沿って平行移動するようになっている。
【００２５】
ハウジング１０に組み付けられたフロントリテーナ４０は、図１，２，５，６に示す退避位置と、退避位置よりも後方（ハウジング１０に対するフロントリテーナ４０の組付け方向における奥方）であって図３，４に示す規制位置との間で前後方向（キャビティ１３に対する端子金具３０の挿入方向と平行な方向）に移動し得るようになっている。フロントリテーナ４０は、撓み係止片４４を端子保持部１１の係止突起（図示省略）に係止させることより、退避位置に保持されるとともに、規制位置に保持されるようになっている。
【００２６】
フロントリテーナ４０が規制位置にある状態では、支持壁部４１は、各キャビティ１３の前端の開口を閉塞するように位置して、キャビティ１３の前面壁（即ち、キャビティ１３に正規挿入された端子金具３０を前止まりさせるための前止まり部）を構成する。支持壁部４１のうち各キャビティ１３と対応する複数の位置には、タブ３１を貫通させるための貫通孔４５が形成されている。
【００２７】
複数の撓み規制部４２は、上段と下段に分かれて整列されている。以下、下段側の撓み規制部４２について説明するが、上段側の撓み規制部４２については、下段側の撓み規制部４２と上下対称な形態なので説明は省略する。撓み規制部４２は、各ランス１４と個別に対応するように設けられ、図４，６に示すように、幅方向において、撓み規制部４２の中心はランス１４及び撓み空間１７中心と一致している。撓み規制部４２は、水平な板状部４６と、板状部４６の上面から前後方向に細長いリブ状に突出する左右対称な一対の支持部４７と、板状部４６の下面から前後方向に細長いリブ状に突出する左右対称な一対の補強部４８とを一体に形成したものである。
【００２８】
撓み規制部４２の幅寸法は、撓み空間１７の幅寸法と同じ寸法である。支持部４７の外側面は、板状部４６の外側面よりも幅方向内側に位置しているが、補強部４８の外側面は、板状部４６の外側面に対して面一状に連なっている。支持部４７の前端は支持壁部４１に連なっており、支持部４７の後端は、板状部４６の後端よりも前方に位置している。補強部４８の前端は支持壁部４１に連なっており、補強部４８の後端は、板状部４６の後端よりも前方であって支持部４７の後端よりも少し後方に位置している。撓み規制部４２の厚さ寸法（支持部４７の上端縁から補強部４８の下端縁までの高さ寸法）は、撓み空間１７の底面からキャビティ１３の底面までの高低差とほぼ同じ寸法である。
【００２９】
フロントリテーナ４０が退避位置と規制位置との間で移動する過程では、補強部４８は、型抜き空間１８の底面上を摺接する。また、フロントリテーナ４０が退避位置にある状態では、支持部４７はキャビティ１３の前端よりも前方に位置するが、フロントリテーナ４０が規制位置にある状態では、支持部４７は、キャビティ１３の内部における前端部（ランス１４よりも前方）に位置し、支持部４７の上端縁が、キャビティ１３の底面とほぼ同じ高さとなる。
【００３０】
板状部４６のうち支持部４７の後端よりも前方であって、支持壁部４１に連なる前端側部分は、治具差込み孔２０を閉塞するための閉塞部４６Ｆとして機能する。板状部４６のうち支持部４７の後端よりも後方の領域は、撓み空間１７内に嵌入してランス１４の弾性撓みを規制する規制機能部４６Ｒとなっている。フロントリテーナ４０が退避位置にある状態では、図１，２，５，６に示すように、撓み規制部４２の後端縁はランス１４の前端よりも少し前方に位置し、したがって、規制機能部４６Ｒは、その全体が、撓み空間１７の外部（前方）へ退避した位置にある。フロントリテーナ４０が規制位置にある状態では、図３，４に示すように、規制機能部４６Ｒが撓み空間１７内（ランス１４と外壁部１９との間の空間）に嵌入するので、ランス１４が係止位置から解除位置へ弾性撓みしようとしても、規制機能部４６Ｒの上面に当接することによってランス１４の弾性撓みが阻止される。
【００３１】
キャビティ１３に端子金具３０を挿入する際には、フロントリテーナ４０を退避位置に保持し、ランス１４が解除位置へ弾性撓みし得る状態で待機させる。この状態で端子金具３０を挿入すると、挿入の途中で、本体部３２が係止突起１５と干渉するので、ランス１４が撓み空間１７側へ弾性撓みさせられて解除位置へ変位する。そして、端子金具３０が正規の挿入位置に到達すると、本体部３２が係止突起１５を通過するので、ランス１４が係止位置へ弾性復帰し、係止突起１５が端子金具３０の係止部３４に対して後方から係止可能となる。このランス１４（係止突起１５）の係止作用により、端子金具３０は後方への離脱（キャビティ１３からの抜け）を規制された抜止め状態に保持される。
【００３２】
端子金具３０を挿入した後は、フロントリテーナ４０を規制位置へ押し込む。すると、規制機能部４６Ｒが撓み空間１７に嵌入することによってランス１４の弾性撓みが規制され、これにより、ランス１４による端子金具３０への係止機能の信頼性が向上し、端子金具３０が確実に抜止め状態に保持される。また、フロントリテーナ４０を規制位置へ移動させると、支持部４７が本体部３２を下から支持するので、端子金具３０の姿勢が安定する。このとき、支持部４７の下方に位置する補強部４８が型抜き空間１８の底面に当接するので、支持部４７が下方へ変位することがなく、端子金具３０を確実に支持することができる。
【００３３】
規制機能部４６Ｒには、その幅方向における中央部分を略方形に切欠した形態のガイド部４９が形成されている。フロントリテーナ４０が退避位置にある状態で治具差込み孔２０から差し込まれた解除治具Ｊをランス１４まで到達させるように切欠した形態である。ガイド部４９は、規制機能部４６Ｒ（撓み規制部４２）の後端縁に開放されており、規制機能部４６Ｒの後端部（延出端部）は、二股状をなしている。ガイド部４９の左右両内側面は、互いに対向するガイド面４９Ｓとなっている。ガイド部４９は左右対称であり、したがって、ガイド部４９の中心は規制機能部４６Ｒ（撓み空間１７及びランス１４）の中心と一致している。幅方向において、ガイド部４９の開口（切欠）領域は左右対称である。ガイド部４９の開口領域（幅寸法）は、治具差込み孔２０の開口幅（幅寸法）と同じであり、ランス１４の全幅の範囲内に収まっている。
【００３４】
前後方向におけるガイド部４９の形成領域は、規制機能部４６Ｒの前端（支持部４７の後端）よりも後方の範囲である。ガイド部４９の前端面４９Ｆは、フロントリテーナ４０の退避位置と規制位置との間での移動方向（即ち、端子金具３０の挿入方向）と直角ではなく、後方に向かってオーバーハング状に傾いている。つまり、規制機能部４６Ｒの下面におけるガイド部４９の開口縁（前端縁）が、規制機能部４６Ｒの上面におけるガイド部４９の開口縁（前端縁）よりも前方に位置するように、傾いている。フロントリテーナ４０が退避位置にある状態において、ガイド部４９の切欠領域は、ランス１４よりも前方に位置し、且つ前後方向において治具差込み孔２０の開口領域の範囲内に位置する。フロントリテーナ４０が規制位置にある状態において、ガイド部４９の切欠領域は、その全体が撓み空間１７の内部に収容される。
【００３５】
ランス１４とフロントリテーナ４０によって正規の挿入状態に保持されている端子金具３０を、ハウジング１０外へ離脱させる際には、まず、フロントリテーナ４０を規制位置から退避位置へ移動させる。すると、規制機能部４６Ｒが撓み空間１７の前方へ退避し、ガイド部４９が治具差込み孔２０と対応するように位置する。この状態で、図２に示すように、細長い解除治具Ｊを、ハウジング１０の外方（下方）から、治具差込み孔２０に差し込み、ガイド部４９に貫通させてランス１４の治具受け部１６の上面に係止させる。このときの解除治具Ｊの差込み方向は斜め上後方へ向かう方向であり、治具差込み孔２０及びガイド部４９は、端子金具３０のタブ３１の後端よりも後方に位置している。そして、図１に示すように、フード部１２の外面後端を支点として解除治具Ｊをテコのように傾けると、治具受け部１６が下方に押されてランス１４が解除位置へ弾性撓みする。このランス１４の弾性撓みにより、ランス１４による端子金具３０への係止が解除されるので、あとは、電線３５を摘んで端子金具３０を後方へ引き抜けばよい。
【００３６】
上述のように本実施形態においては、解除治具Ｊの差込み方向が、ハウジング１０の前方からではなく、端子金具３０の挿入方向と交差する方向となっており、解除治具Ｊがハウジング１０内に進入する位置は、前後方向においてタブ３１の後端よりも更に後方である。したがって、端子金具３０のタブ３１が解除治具Ｊによって傷付けられることはない。
【００３７】
また、解除治具Ｊによってランス１４を解除操作する際には、解除治具Ｊがガイド部４９を貫通してランス１４の治具受け部１６に到達するのであるが、ガイド部４９は規制機能部４６Ｒを二股状に切欠した形態となっていて、ガイド部４９の左右両ガイド面４９Ｓが解除治具Ｊを左右から挟むように位置している。したがって、解除治具Ｊは、幅方向（左右方向）へ位置ずれすることがなく、確実にランス１４に到達することができる。
【００３８】
また、ガイド部４９は、撓み規制部４２の後端縁において開放された形態とされているので、撓み規制部４２の後端縁において閉じた形態のガイド部に比べると、解除治具Ｊの前後方向における可動範囲が広く、作業性が良い。
また、ガイド部４９の幅方向における開口領域は、ランス１４の全幅の範囲内とされているので、解除治具Ｊがランス１４に対して幅方向に外れる虞がなく、ランス１４を確実に弾性撓みさせることができる。
また、撓み規制部４２には、フロントリテーナ４０が規制位置にある状態で治具差込み孔２０を閉塞する閉塞部４６Ｆが形成されている。これにより、フロントリテーナ４０を規制位置に移動させて端子金具３０を抜止め状態に保持している状態では、治具差込み孔２０が閉塞部４６Ｆによって閉塞されるので、治具差込み孔２０からハウジング１０の内部に異物が侵入する虞はない。
【００３９】
＜他の実施形態＞
本発明は上記記述及び図面によって説明した実施形態に限定されるものではなく、例えば次のような実施形態も本発明の技術的範囲に含まれる。
（１）上記実施形態では、相手側端子との接触部が細長いタブである雄形の端子である場合について説明したが、本発明は、前端部に角筒状の端子接続部を有し、端子接続部内に相手側端子との接触部である弾性接触片を収容した形態の雌形の端子である場合にも適用できる。
（２）上記実施形態では、ガイド部を撓み規制部の後端縁において開放された形態としたが、ガイド部は、撓み規制部の後端縁に開放されず、閉じた窓孔状の形態であってもよい。
（３）上記実施形態では、幅方向におけるガイド部の開口領域を、ランスの全幅の範囲内としたが、幅方向において、ガイド部の開口領域の一部が、ランスの全幅の範囲外にあってもよい。
（４）上記実施形態では、撓み規制部に、フロントリテーナが規制位置にある状態で治具差込み孔を閉塞する閉塞部を形成したが、フロントリテーナが規制位置にある状態でも、治具差込み孔を開放したままにすることができる。
【符号の説明】
【００４０】
１０…ハウジング
１３…キャビティ
１４…ランス
１７…撓み空間
１９…外壁部
２０…治具差込み孔
３０…端子金具
３１…タブ（接触部）
４０…フロントリテーナ
４２…撓み規制部
４６Ｆ…閉塞部
４９…ガイド部
Ｊ…解除治具
【図１】
0005552951.tif 000002
【図２】
0005552951.tif 000003
【図３】
0005552951.tif 000004
【図４】
0005552951.tif 000005
【図５】
0005552951.tif 000006
【図６】
0005552951.tif 000007
【図７】
0005552951.tif 000008
【図８】
0005552951.tif 000009
【図９】
0005552951.tif 000010